(57)【要約】【課題】  後方に位置する複数の商品を覆板の傾斜に沿って円滑に棚板の前方に流下させることができ、かつ、故障による補修等の問題が生じることなく長期にわたって使用できる覆板を備えた商品陳列棚を提供すること。【解決手段】  前方に向かって傾斜した棚板２に覆板１０を設けることで、覆板１０が前方位置に向かって傾斜され、予め覆板１０の上面に滑り性を備える表面仕様が施されることにより、覆板１０上面に商品１５の空きスペースが生じると、後方に位置する商品１５が商品自身の自重によって覆板１０の傾斜面に沿って前方に流下し、常に棚板２の前方位置には商品１５が並んだ状態となる。また、覆板１０上面には耐久性を備える表面仕様も施されているので、長期に渡って複数の商品１５が覆板１０の傾斜面の後方から前方に流下されても覆板１０上面が摩擦によって磨耗されることなく保護される。【選択図】  図２
2005204815.tif 000002
【特許請求の範囲】
【請求項１】
前方に向かって下方に傾斜した棚板の上面を覆う覆板に載置される商品が、自重により棚板の前方位置へと移動する商品陳列棚であって、少なくとも前記覆板の一部が前記棚板に係合して覆板が位置固定されるとともに、前記覆板の上面を滑り性かつ耐久性を備える表面仕様としたことを特徴とする商品陳列棚。
【請求項２】
前記覆板は金属板で構成され、エンボス加工によって前記金属板の表面に複数の凸部が形成されるとともに、前記凸部の表面はフッ素樹脂粉末を１０〜６０％質量含有する潤滑性塗幕を有する請求項１に記載の商品陳列棚。
【請求項３】
前記潤滑性塗幕には抗菌および防カビ剤が含有している請求項２に記載の商品陳列棚。
【請求項４】
前記覆板の後端縁から下方に向けて屈曲延設させて後部係止片を形成し、該後部係止片を棚板の後端に係合して該覆板の位置固定を行う請求項１乃至３のいずれかに記載の商品陳列棚。
【請求項５】
前記棚板の前端にストッパーを設け、覆板の前端を前記ストッパーに係合させて該覆板の位置固定を行う請求項１乃至４のいずれかに記載の商品陳列棚。
【請求項６】
前記覆板をブラインドリベットにより棚板に位置固定する請求項１乃至５のいずれかに記載の商品陳列棚。
【請求項７】
前記覆板の両側端縁から下方に向けて屈曲延設させ両側部係止片を形成し、該両側部係止片を棚板の両側端に係合した請求項４乃至６のいずれかに記載の商品陳列棚。
【請求項８】
一つの棚板上に複数の覆板を左右に列設載置した請求項１乃至６のいずれかに記載の商品陳列棚。
【発明の詳細な説明】
【技術分野】
【０００１】
本発明は、前方に向かって下方に傾斜する棚板の上面を覆う覆板に載置される商品が、自重により棚板の前方位置へと移動する商品陳列棚に関する。
【背景技術】
【０００２】
従来、スーパーやコンビニエンス・ストアー等の商品売り場において、消費者によって商品が複数陳列されるの商品陳列棚から商品が取り出されると、商品の取り出し位置に空きスペースが生じはじめ、しだいに商品陳列棚の前方側から商品が無くなっていき、商品陳列棚の後方に商品が残留してしまうことが多々有り、この後方に載置される商品を消費者が取り出すには、手を伸ばす又は身を乗り出して取り出す必要があった。
【０００３】
そこで、近年では商品陳列棚の前方に向かって傾斜するように複数のローラーが設けられた本体ベースを陳列棚内に複数列設けることで、消費者によって前方に位置する商品が取り出されると、後方に位置する商品が自重によってローラー上を滑りながら前方に移動するようになっており、消費者が商品を常に商品陳列棚の手前から取り出せるようになっている（例えば、特許文献１参照）。
【０００４】
【特許文献１】特許第３２０８７３３号公報（段落００３１―００３２、第１０図）
【発明の開示】
【発明が解決しようとする課題】
【０００５】
しかしながら、特許文献１の商品陳列棚にあっては、本体ベースには複数のローラーが設けられることから、本体ベースの製造に時間とコストが多くかかるとともに、ローラーの１つでも故障が発生してしまうと、本体ベースの商品の滑りが悪くなる不具合が生じてしまう為、本体ベース内に商品が残留してしまうこともあった。
【０００６】
本発明は、このような問題点に着目してなされたもので、後方に位置する複数の商品を覆板の傾斜に沿って円滑に棚板の前方に流下させることができ、かつ、故障による補修等の問題が生じることなく長期にわたって使用できる覆板を備えた商品陳列棚を提供することを目的とする。
【課題を解決するための手段】
【０００７】
上記課題を解決するために、本発明の請求項１に記載の商品陳列棚は、前方に向かって下方に傾斜した棚板の上面を覆う覆板に載置される商品が、自重により棚板の前方位置へと移動する商品陳列棚であって、少なくとも前記覆板の一部が前記棚板に係合して覆板が位置固定されるとともに、前記覆板の上面を滑り性かつ耐久性を備える表面仕様としたことを特徴としている。
この特徴によれば、前方に向かって下方に傾斜した棚板に覆板を設けることで、覆板が前方位置に向かって下方に傾斜され、しかもこの覆板の上面が滑り性と耐久性を備えることにより、後方に位置する商品を上面板の傾斜面に沿って円滑に棚板の前方に流下させることができ、かつ商品を流下させるための部品がないので、故障による補修等の問題が生じることなく長期にわたって使用できる。
【０００８】
本発明の請求項２に記載の商品陳列棚は、請求項１に記載の商品陳列棚であって、前記覆板は金属板で構成され、エンボス加工によって前記金属板の表面に複数の凸部が形成されるとともに、前記凸部の表面はフッ素樹脂粉末を１０〜６０％質量含有する潤滑性塗幕を有することを特徴としている。
この特徴によれば、エンボス加工による複数の凸部で商品を支持することが可能となるため、商品との当接面積を少なくでき商品の摩擦度を極力低減させることが可能となり、商品自身の自重によって覆板の上面の傾斜に沿って円滑に流下させることができる。また、エンボス加工により形成された凸部はフッ素樹脂が１０〜６０％質量含有されているので、長期の使用によってもエンボスの凸部が保護され、商品との摩擦による磨耗を防止できる耐久性及び滑り性の高い覆板を提供できる。
【０００９】
本発明の請求項３に記載の商品陳列棚は、請求項２に記載の商品陳列棚であって、前記潤滑性塗幕には抗菌および防カビ剤が含有していることを特徴としている。
この特徴によれば、菌とカビの繁殖を未然に防止可能な覆板とすることができ、覆板に載置される商品が衛生上特に気をつける必要のある商品（例えば食品類）であっても、常に高い衛生状態を維持できる。
【００１０】
本発明の請求項４に記載の商品陳列棚は、請求項１乃至３のいずれかに記載の商品陳列棚であって、前記覆板の後端縁から下方に向けて屈曲延設させ後部係止片を形成し、該後部係止片を棚板の後端に係合して覆板の位置固定を行うことを特徴としている。
この特徴によれば、覆板の後端縁を屈曲させるだけで、覆板を支持する後部係止片の形成が行えるので、一枚板で形成でき製造コストの低減が図れるとともに、後部係止片を棚板の後端に係合するだけで覆板を棚板に容易に位置固定することができる。
【００１１】
本発明の請求項５に記載の商品陳列棚は、請求項１乃至４のいずれかに記載の商品陳列棚であって、前記棚板の前端にストッパーを設け、覆板の前端を前記ストッパーに係合させて該覆板の位置固定を行うことを特徴としている。
この特徴によれば、覆板の前端をストッパーに係合させるだけで、覆板を棚板に容易に位置固定することができる。
【００１２】
本発明の請求項６に記載の商品陳列棚は、請求項１乃至５のいずれかに記載の商品陳列棚であって、前記覆板をブラインドリベットにより棚板に位置固定することを特徴としている。
この特徴によれば、ブラインドリベットを用いることで覆板を容易かつ確実に棚板にかしめて位置固定でき、覆板と棚板との脱着も簡易に行うことができる。
【００１３】
本発明の請求項７に記載の商品陳列棚は、請求項４乃至６のいずれかに記載の商品陳列棚であって、前記覆板の両側端縁から下方に向けて屈曲延設させ両側部係止片を形成し、該両側部係止片を棚板の両側端に係合したことを特徴としている。
この特徴によれば、両側部係止片が棚板の両側端に係合するので、覆板と棚板との左右方向の位置ずれが未然に防止される。
【００１４】
本発明の請求項８に記載の商品陳列棚は、請求項１乃至６のいずれかに記載の商品陳列棚であって、一つの棚板上に複数の覆板を左右に列設載置したことを特徴としている。
この特徴によれば、各覆板を個々に着脱可能な構成とすることができ、商品陳列棚や棚板の大きさや形状に合わせて、各覆板を自由に組み合わせて棚板に載置することができる。
【発明を実施するための最良の形態】
【００１５】
本発明の実施例を以下に説明する。
【実施例１】
【００１６】
図1は、本発明の実施例１及び実施例２が適用される商品陳列棚の全体像を示す側面図であり、図２は、図１のＢ−Ｂ線の断面図であり、図３の（ａ）は、図１のＡ−Ａ線の一部破断平面図を示す図であり、図３の（ｂ）は、（ａ）のＤ−Ｄ線の要部拡大断面図である。この商品陳列棚は、スーパーやコンビニエンス・ストアー等の商品売り場に設置されており、商品陳列棚に複数の商品を数多く載置して、消費者が直に商品の取り出しを行えるようになっている。
【００１７】
本発明の実施例１を図面に基づいて説明すると、商品陳列棚１は図1に示されるように、床面１７に載置される支持脚６に上下方向に延びる支柱４が左右２本が一対にて所定間隔毎（本実施例では３箇所）に設けられ、この支柱４間に仕切りパネル３が前後に嵌合して取り付けられ、支柱４と仕切パネル３の上部に商品が載置可能な載置棚５が設けられている。
【００１８】
支柱４には後述する支持板７（図２参照）を取り付けるための係止穴４ａが上下方向に複数形成されている。この支柱４の中間位置には、外周にストッパー９が取り付けられた棚板２（図２参照）の上面２ｂに複数の覆板１０が設けられ、この覆板１０の上面に商品１５が複数載置されている。（以下、本実施例では商品陳列棚１の外方を前方位置とし、商品陳列棚１の中央を後方位置として説明する。）
【００１９】
そこで、具体的に棚板２と覆板１０の構成を図２を用いて説明する。まず、前述の係止穴４ａに支持板７の後端に形成された係合片７ａを係止することによって、支持板７が支柱４に取り付けられている。この支持板７の上端部に棚板２が載置され、支持板７の後方位置には切欠部７ｂが形成されている。
【００２０】
支持板７の上面が傾斜しているため、棚板２を支持板７に載置すると、支持板７の傾斜に沿って棚板２もその棚板後端縁２ｂから棚板前端縁２ａにかけて下方に傾斜する。また、棚板２の後端側には棚板後端縁２ｂから下方に屈曲延設される棚板後部係止片２ｅが形成され、この棚板後部係止片２ｅを前述の支持板７の切欠部７ｂに係止させることにより、棚板２が支持板７に位置固定される。
【００２１】
棚板２の前端側にはストッパー取付部８が取り付けられており、ストッパー取付部８に形成された係止溝８ａにストッパー９の係止片９ａが嵌合されてストッパー９が取り付けられている。このストッパー９によって商品１５が商品陳列棚１の前方に滑落することを防いでいる。また、このストッパー９は覆板１０の移動防止具として利用することもできる。即ち、覆板１０を棚板２に載置しその移動をストッパー９に当接させて、覆板１０の位置決め固定を行うようにすることができる。
【００２２】
次いで、棚板２に載置される覆板１０について説明すると、覆板１０は金属板で構成され、金属板の表面にはエンボス加工によってエンボス部１３が形成されている。覆板１０は棚板２に置くことにより、覆板後端縁１０ｂから覆板前端縁１０ａに向けて下方に傾斜する傾斜部が構築され、覆板１０の覆板後端縁１０ｂは下方に屈曲延設されて覆板後部係止片１１が形成されている。
【００２３】
棚板２の上面２ｄに覆板１０を取り付けるには、覆板１０の覆板前端縁１０ａの下端を棚板前端縁２ａ側に接地させ、覆板後部係止片１１を切欠部７ｂに係止する。この覆板後部係止片１１は棚板後部係止片２ｅと支柱４の隙間に嵌合されるので、位置固定が確実に成される。このように一枚板からなる覆板１０の後部を下方に屈曲延設させ棚板２の後部に係止するだけで覆板１０を棚板２に位置固定できるので、覆板１０の成形と取付、取外しが容易に行える。
【００２４】
そして、一つの棚板２に載置された複数の左右に列設した各覆板１０によって商品１５の支持を行うことで、商品１５の自重による各覆板１０の湾曲等の変形を未然に防止することができ、常に商品１５を棚板２の前方位置へ誘導する傾斜面が維持される。しかも、各覆板１０は棚板２から個々に着脱可能な構成なので、商品陳列棚１や棚板２の大きさや形状に合わせて、各覆板１０を組み合わせて容易にカスタマイズ可能な構成になっている。
【００２５】
図３（ａ）に示すように、覆板１０の覆板上面１０ｄには、エンボス加工によってエンボス部１３が形成されており（参照）、このエンボス部１３の表面には塗幕が被覆されている。これら覆板１０と塗幕について以下に詳述する。
【００２６】
覆板１０を構成する金属板としては、例えば、冷延鋼板や、熱延鋼板、炭素鋼板、亜鉛メッキ等のメッキ処理を施した鋼板、ステンレス板、アルミニウム板等の各種金属平板が、特に制限なく利用できる。
【００２７】
これら金属板は、必要に応じて、水洗や、湯洗、酸洗、アルカリ脱脂、研磨、クロメート処理もしくはリン酸亜鉛処理等の前処理を施したもの、後述する潤滑性塗膜との密着性や、金属板の耐食性等を改良するために、例えば、ポリエステル樹脂系や、エポキシ樹脂系等のプライマーを施したもの、あるいは、これら前処理とプライマーの両方を施したものであってもよい。なお、これらは、後述する金属板のエンボス加工前後のいずれの段階で施してもよい。
【００２８】
塗膜を形成する塗料としては、例えば、焼付硬化型や、自然乾燥型、あるいは、紫外線等の活性エネルギー線硬化型など各種塗料が利用でき、また、その塗料形態も、水系塗料や、有機溶剤系塗料、無溶剤系塗料、粉体塗料など特に制限なく利用できる。
【００２９】
代表的な塗料の構成は、バインダー樹脂（重合により樹脂を形成するオリゴマーを含む。）と潤滑剤としてのフッ素樹脂粉末とを必須成分とし、必要に応じて、更に、バインダー樹脂を溶解、もしくは、安定に分散するための溶媒、顔料、その他各種添加剤などの成分を配合したものから構成される。
【００３０】
前記バインダー樹脂としては、例えば、フッ素樹脂や、ポリエステル樹脂、アクリル樹脂、エポキシ樹脂、あるいは、これらのシリコーン変性樹脂等の通常塗料用として使用されている各種有機系バインダーが好適に挙げられる。
【００３１】
これらバインダー樹脂は、２種以上の混合物であってもよく、必要に応じて、これら樹脂は、ポリイソシアネートや、メラミン樹脂等の架橋剤や硬化促進剤と併用して使用してもよい。また、バインダー樹脂として、オルガノポリシロキサン等の無機系バインダーも使用可能である。
【００３２】
本発明の潤滑性塗膜に使用されるフッ素樹脂粉末は、形成される塗膜に滑り性を付与するために、必須成分として配合するものであり、そのため、塗膜中に粉末として分布する必要があり、後述する溶媒に溶解しないものである。
【００３３】
フッ素樹脂粉末としては、例えば、テトラフルオロエチレン樹脂粉末や、テトラフルオロエチレンーヘキサフルオロプロピレン共重合樹脂粉末、テトラフルオロエチレン−エチレン共重合樹脂粉末、ポリフッ化ビニル樹脂粉末、ポリフッ化ビニリデン樹脂粉末、トリフッ化塩化エチレン樹脂粉末等が代表的なものとして挙げられる。特に、本発明においては、滑り牲に優れ、かつ、無色透明で、変色しにくいテトラフルオロエチレン樹脂粉末が好ましい。
【００３４】
これらフッ素樹脂粉末の平均粒径は、例えば、０．１〜３０μｍ、好ましくは、１〜２０μｍが適当である。なお、平均粒径が、前記範囲より小さいと塗膜に滑り性を付与する効果がさほど得られず、逆に大き過ぎると塗装安定性が低下し、また、塗膜表面からフッ素樹脂粉末が脱落し易くなる傾向にある。
【００３５】
なお、潤滑剤として、ポリエチレンワックスや、シリコンビーズ、グラファイト、二硫化モリブデン等も広く知られているが、滑り性付与効果が、フッ素樹脂粉末、特に、テトラフルオロエチレン樹脂粉末ほど顕著でなく、また、これらの潤滑剤は、着色しているため、これら潤滑剤を配合した塗料を塗装した場合、潤滑性塗膜としての透明性が悪くなる。
【００３６】
即ち、金属板素地の金属感による美観や、前述のプライマーを着色することによる美観を付与したい場合、潤滑性塗膜の透明性が悪いと、これら美観を損なうことになるので、本発明においては、好ましくない。ただし、美観を要求されない用途においては、前述のフッ素樹脂粉末以外の潤滑剤を併用することも可能である。
【００３７】
潤滑性塗膜を形成するための塗料に使用される溶媒は、塗料の貯蔵安定性や塗装作業性を向上させるために、必要に応じて配合される。このような溶媒としては、例えば、トルエン、キシレン等の芳香族系炭化水素類、ブタノール、プロパノール、エチレングリコールモノエチルエーテル、エチレングリコールモノブチルエーテル、プロピレングリコールモノメチルエーテル等のアルコール類、ブチルアセテート、メトキシエチルアセテート、プロピレングリコールメチルエーテルアセテート等のエステル類、メチルエチルケトン、メチルイソブチルケトン、イソホロン、シクロヘキサノン等のケトン類などの通常塗料用として使用されている有機溶剤や水が、代表的なものとして挙げられ、これら溶媒は、２種以上の混合物であってもよい。但し、潤滑剤としてのフッ素樹脂粉末を溶解する溶媒は、使用できない。
【００３８】
本発明の潤滑性塗膜を形成するための塗料に使用される顔料は、潤滑性塗膜を着色して、美観を付与したり、膜厚を付与したり、塗装作業性を良くするために、必要に応じて配合するものである。
【００３９】
このような顔料としては、例えば、酸化チタンや、カーボンブラック、酸化鉄、フタロシアニンブルー等の着色顔料や、炭酸カルシウムや、タルク、硫酸バリウム、カオリン、クレー等の体質顔料などが代表的なものとして挙げられる。なお、前述の通り、金属板素地の金属感による美観や、前述のプライマーを着色することによる美観を持たせたい場合
には、潤滑性塗膜は、透明とする都合上、着色顔料や、体質顔料を配合しないか、配合しても透明性を阻害しない程度の少量の配合とする必要がある。
【００４０】
潤滑性塗膜を形成するための塗料に任意に使用される各種添加剤としては、例えば、顔料分散剤や、沈降防止剤、消泡剤、レベリング剤、紫外線吸収剤、抗菌剤など、通常塗料用として使用されている各種添加剤が好適に挙げられる。
【００４１】
潤滑性塗膜を形成する塗料は、上記で説明した各種の成分から構成されるが、これら各成分の配合割合は、固形分（即ち、溶媒等の揮発成分が揮発した残りの塗膜形成成分）換算で、例えば、フッ素樹脂粉末が、０〜６０質量％、好ましくは１０〜６０質量％が適当であり、バインダー樹脂が、３０〜９５質量％、好ましくは４０〜９０質量％が適当であり、顔料は、０〜６０質量％、好ましくは０〜４０質量％が適当であり、添加剤は、０〜１０質量％が適当である。
【００４２】
なお、バインダー樹脂が、前記範囲より少ないと、形成される潤滑性塗膜の耐摩耗性等の物理的強度が低下する傾向にある。また、フッ素樹脂粉末が、前記範囲より少ないと、滑り性が低下する傾向にあり、逆に多量に含有しても滑り性の向上効果が飽和してしまい、経済的でなくなる。
【００４３】
また、溶媒は、バインダー樹脂が、常温で液状である場合や、粉体塗料の場合には、配合する必要はないが、水系塗料や、有機溶剤系塗料の場合には、塗装作業性を良くするため、通常、塗料固形分が、２０〜６０質量％になるような量が適当であるが、塗装手段に応じて任意にその配合量を決定すればよい。
【００４４】
さらに、塗幕を形成する塗料には、抗菌および防カビ性を有する抗菌および防カビ剤も含有されており、これら抗菌および防カビ剤の必要な機能は抗菌・防カビ性に加えて、塗膜を形成する際の加熱によって分解したり蒸発揮散することがなくかつ効果が持続し、人体に対して安全であることである。
【００４５】
有機系としてはイミダゾール系、チアゾール系、ハロアルキル系、ピリジン系などがあり、代表的なものとしては２−（４−チアゾリル）ベンズイミダゾール（商品名ＴＢＺ：メルク社）、２−ｎ−オクチルー４−イソチアゾリン−３−オン（商品名スケーンＭ８：ロームアンドハース社）、Ｎ−（フルオロジクロロメチルチオ）フタルイミド（商品名プリベントールＡ３：バイエル社）、２−ピリジンチオール−１−オキシドＺｎ塩（（商品名ＺＰＴ：日本オーリン杜）などがある。
【００４６】
一方無機系としては銀、銅、亜鉛などの抗菌性を有する金属を無機イオン交換体や多孔質体に担持した金属置換型があり、代表的なものとしては銀リン酸ジルコニウム（商品名ノバロン：東亞合成化学社）、銀ゼオライト（商品名ゼオミック：品川燃料社）、銀ヒドロキシアパタイト（商品名アパサイダー：サンギ杜）、銀シリカアルミナ（商品名ＡＩＳ：触媒化成工業社）、銀リン酸塩セラミックス（商品名抗菌セラミック：新東工業社）などがある。
【００４７】
これら抗菌・防カビ剤の塗料への添加量は有機系薬剤の場合、塗料固形分に対し、０．０５〜３％、好ましくは０．０５〜１．５％の添加量、無機系薬剤の場合、塗料固形分に対し０．１〜５％、好ましくは０．２〜３％の添加量である。
【００４８】
添加方法はあらかじめ高濃度の分散ぺーストを作って塗料に添加するか、直接塗料を作製する際に添加して分散する二通りがある。いずれも分散時に分散助剤などを併用することもできる。
【００４９】
以上に説明された抗菌および防カビ剤が塗料に含有されたことによる、塗幕の滑り性に与える影響を動的摩擦係数の測定によって、以下の方法により調査した。平滑な冷延鋼板表面に塗料を、硬化膜厚２５μｍになるように塗装し、１５０℃、２０分間焼付て形成した塗膜をＡＳＴＭ  Ｄ  １８９−７Ｂに規定される方法に準拠し、新東科学杜製の表面性試験機「トライボギヤー」を用いて、１０ｍｍφのボール圧子に１００ｇの垂直荷重を載せ、移動速度１００ｍｍ／ｍｉｎの条件で測定した。
【００５０】
この結果、本出願人の検証データから、抗菌・防カビ剤を添加しても潤滑性に与える動的摩擦係数への影響はほとんどなく、何ら商品１５の滑り性に影響を及ぼすことがないことが確認されている。
【００５１】
次に、本発明の滑り性に優れた覆板１０の製造方法について説明する。本発明の滑り性に優れた覆板１０を構成する金属板は、図３（ａ）（ｂ）に示されるように、エンボス加工により金属板表面を覆うように複数のエンボス部１３を形成し、かつ、得られた凹凸表面を有する金属板表面に前述の塗料を塗装して、潤滑性を有する塗膜１４を形成し、それらの相乗効果により、優れた滑り性を発現するのである。このようにして得られた上方の金属板の下部に補強用の下部金属板を張り合わせる。
【００５２】
金属板のエンボス加工は、例えば、ロール圧延処理や、プレス処理により行うことができる。金属板表面全体における安定な滑り性の観点から、エンボス加工により形成されるエンボス部１３の凸部１３ａの形状は、金属板の表面全体にわたって均一に形成されることが好ましい。覆板１０のエンボス加工によって形成された凸部１３ａの頂部１３ｂは、商品１５の底面１５ａと接触する部分が少ないので、金属板と商品との二面間に作用する摩擦力は小さい。
【００５３】
その結果、摩擦抵抗が下がり、滑り性効果が向上するとともに、例えば、覆板１０の長期の使用により、摩擦によって生じる微細な摩耗粉が、両面の滑り面上から凸部１３ｂ間に形成される凹部１３ｃ空間に逃げ、更に滑り面上に堆積する微小チリが凹部１３ｃ空間に落下することにより、長期間にわたり一定の摩擦抵抗を保つことが可能となり滑り性を維持できる。
【００５４】
凸部１３ｂの高さは、１００〜１２００μｍ、好ましくは、３００〜１０００μｍであるのが適当である。なぜなら凸部１３ｂの高さが、前記範囲より少ないと、金属板の摩耗が進んだ場合における微小チリ堆積に関する前記効果が低下し、逆に大き過ぎると、滑らす商品１５の底面１５ａ形状によっては、引っ掛かりが生じ易くなり、商品１５が滑る際に支障をきたす頻度が多くなる傾向があるためである。
【００５５】
凸部１３ａの頂部１３ｂは、平坦とすることが望ましい。また、規則的に形成された複数の凸部１３ａを有する金属板上において、頂部１３ｂは、実質的に同一高さであることが好ましい。また、凸部１３ａの頂部１３ｂの総面積は、金属板全表面積の５〜５０％、好ましくは、１５〜４０％占める程度が好ましい。このように頂部１３ｂを平坦とすることにより、滑り性の向上だけでなく、滑り性の耐久性を兼ね備える効果がある。
【００５６】
即ち、例えば、凸部１３ａを半球状とする等により平坦を設けない、もしくは、平坦の面積を少なくすると、凸部１３ａの頂部１３ｂと移動させる商品１５の底面１５ａとが点接触となり、潤滑性塗膜１４の摩耗が早まり、滑り性効果の持続性が低下する傾向にある。
【００５７】
また、凸部１３ａの頂部１３ｂの平坦の形状は、特に制限ないが、棚板２に設けられる複数の覆板１０毎に商品の移動方向（後方から前方）に対して、長軸となる楕円形もしくは長方形が望ましく、更に、隣接する楕円形もしくは長方形の平坦をずらして配列するようにエンボス加工するのが、商品１５の移動時における引っ掛かりが生じにくく好ましい。なお、必要に応じて施す前処理とプライマー塗装は、金属板をエンボス加工する前であっても、その後であってもよい。
【００５８】
このように金属板表面をエンボス加工して、該表面に凹部１３ｃ、凸部１３ａを形成した後、その表面に、カーテンフローコーターや、ロールコーター、エアスプレー塗装機、静電塗装機、浸漬塗装機等の塗装機にて、前述の潤滑牲を有する塗膜１４を形成する塗料を塗装する。
【００５９】
塗装後、使用した塗料が、焼付硬化型塗料の場合には熱風炉や、誘導加熱炉、赤外線炉等にて塗膜１４を焼付硬化させ、自然乾燥型塗料の場合には常温放置により自然乾燥、もしくは１００℃以下の温度にて強制乾燥させる。また、活性エネルギー線硬化型塗料の場合には活性エネルギー線照射炉にて硬化させる。
【００６０】
このようにして形成させた潤滑性塗膜１４の膜厚は、５〜２００μｍ、好ましくは、２０〜１００μｍが適当である。なお、膜厚が前記範囲より薄いと、塗膜１４の摩耗等により滑り性効果の持続性が劣り、逆に厚すぎると、金属板表面に形成した凸部１３ａ間の凹部１３ｃが塞がったりしやすく、また、滑り性の向上効果が飽和してしまい、経済的でなくなる。
【００６１】
また、エンボス部１３と塗幕１４を備えた覆板１０は、図３（ｂ）に示されるように、棚板２に対して前方方向に約７度の傾斜が設けられている。この傾斜角度は本実施例において覆板１０上に商品１５が載置された際に、商品１５自身の自重によって自然と落下する最適な角度になっているが、本発明はこれに限定されるものではなく、覆板１０に載置する商品１５の大きさや重量により適宜な角度設定にすることが好ましい。
【００６２】
以上の説明により実施例１では、エンボス加工による複数の凸部１３ａの頂部１３ｂで複数の商品１５を支持することが可能となるため、商品１５の底面１５ａとの当接面積を少なくでき、商品１５の摩擦度を極力低減させ、商品１５自身の自重によって覆板１０の上面の傾斜に沿って流下させて、棚板２の前方位置に移動させることが可能となるので、覆板１０の前方に商品１５の空きスペースが生じると、後方に位置する商品１５が覆板１０の傾斜面に沿って棚板２の前方に流下し（図２参照）、常に覆板１０の前方には商品１５が並んだ状態となる。
【００６３】
さらに、凸部１３ａの表面にはフッ素樹脂が１０〜６０％質量含有された潤滑性を有する塗幕１４が表面加工されているので、長期の使用によってもエンボスの凸部が保護され、商品との摩擦による磨耗を防止できる耐久性及び滑り性の高い上面板を提供できる。
【００６４】
そして、凸部１３ａの表面に塗装される塗幕１４には、前述した抗菌および防カビ剤が含有されることから、菌とカビの繁殖を未然に防止可能な覆板１０とすることができ、覆板１０に載置される商品１５が衛生上特に気をつける必要のある商品（例えば食品類）であっても、常に高い衛生状態が維持される。
【実施例２】
【００６５】
次に、本発明の実施例２を図４に基づいて説明する。図４は、図１のＣ−Ｃ線の断面図である。なお、以下の実施例２において前述の実施例１と同様の構造部分に関しては、同一の符号を付すことにより詳細な説明は省略することにする。
【００６６】
まず、棚板２’について説明すると、棚板２’は、傾斜した支持板７に載置されて仕切パネル３から前方位置に向けて下方に傾斜している。棚板２’はその両棚板側端縁２ｃからそれぞれ下方に屈曲延設される棚板側部係止片２ｆが形成され、この両棚板側部係止片２ｆを左右の支柱４にそれぞれ取り付けられた一対の支持板７に上方から挟持するように係止しており、左右方向の移動が拘束されている。棚板２’の後端は実施例１と同様に、支持片７の切欠部に後部係止片が係合している。
【００６７】
次いで、棚板２’毎に載置される覆板２０について説明する。覆板２０は、金属板で構成され、金属板の表面には前述したエンボス加工によって複数の凸部１３ａが形成されている。覆板２０にもその両覆板側端縁１０ｃからそれぞれ下方に屈曲延設される覆板側部係止片１２が形成されている。したがって、この覆板２０は覆板後部係止片１１と２つの覆板側部係止片１２の３片により棚板２’を包持しているので、棚板２’にしっかりと位置固定される。
【００６８】
次に、本発明の商品陳列棚に適用される実施例２の覆板２０を図５に基づいて具体的に説明する。図５（ａ）〜（ｄ）は、棚板２’に取り付けられる各種覆板２０の斜視図である。
【００６９】
図５（ａ）は、図１の商品陳列棚１の正面および背面の中央の左右２枚の覆板１０に代えて用いられる覆板２０−１であり、図５（ｂ）は、覆板２０−１の両側位置に載置される覆板２０−２であり、図５（ｃ）は、商品陳列棚の両側端に載置される覆板２０−３であり、図５（ｄ）は、覆板２０−２と覆板２０−３間のコーナー部の前方に載置される覆板２０−４であり、これら覆板２０−１〜４（以下、各覆板２０）の底面側からの斜視図が示されている。
【００７０】
図５（ａ）〜（ｄ）の各覆板２０は、覆板後端縁１０ｂおよび覆板側端縁１０ｃから下方に向けて屈曲延設された覆板後部係止片１１および両覆板側部係止片１２が形成されている。この各覆板２０を棚板２’の棚板後端縁２ｂ（図示略）から両棚板側端縁２ｃにかけて、上方から覆うように係合させながら棚板上面２ｄ（図示略）に載置することにより、確実に覆板２０が棚板２に位置固定される。
【００７１】
なお、本実施例においては図示しないが、上記実施例の覆板１０及び覆板２０は、覆板後部係止片１１及び覆板側部係止片１２によって棚板２に係止されているが、本発明の覆板係止手段は限定されるものではなく、例えば、ブラインドリベットを利用して覆板を棚板にかしめて固定するようにしても良く、このようにすれば、覆板を容易かつ確実に棚板に位置固定でき、覆板と棚板との脱着も簡易に行うことができる。
【００７２】
したがって、覆板の位置固定手段は覆板の滑り性と耐久性および商品１５の載置において支障をきたすものでなければ、適宜多様な方法を用いて覆板を固定することができる。
【００７３】
以上、本発明の実施例を図面により説明してきたが、具体的な構成はこれら実施例に限られるものではなく、本発明の要旨を逸脱しない範囲における変更や追加があっても本発明に含まれ、例えば、上記実施例の覆板１０及び２０では、覆板後部係止片１１や覆板側部係止片１２を上面板の後端縁および側端縁から屈曲延設させて形成することにより、製造コストの低減が行われることから好ましいが、覆板後部支持片１１や覆板側部支持片１２を別部品として構成し、覆板１０または覆板２０に取り付けるようにしても良い。
【００７４】
また、上記実施例では、凸部１３ａの表面に滑り性に優れた潤滑性塗幕を形成するために、塗幕にフッ素樹脂粉末を含有させて潤滑性塗幕の形成を行っているが、本発明はこれに限定されるものではなく、例えば、フッ素樹脂と近似の滑り性能及び耐久性がある代替物を使用することも可能である。
【００７５】
また、上記実施例では、滑り性かつ耐久性を備える塗幕内には、抗菌及び防カビ剤が含有されており、菌とカビの繁殖を未然に防止できることから好ましいが、覆板に載置される商品の種類や特質等によっては必ずしも抗菌及び防カビ剤を含有する必要がないことは言うまでもない。
【００７６】
また、上記実施例でのエンボス加工では凸部１３ａの頂部１３ｂを平坦に形成することにより、塗膜１４表面が早期に摩耗することを防止していることから好ましいが、本発明はこれに限定されるものではなく、例えば、凸部１３ａを半球状とする等により平坦を設けず、頂部１３ｂと商品１５の底面１５ａとが点接触となるように商品１５を支持するようにしても良い。
【００７７】
更に、上記実施例のエンボス加工ではエンボス加工を薄板に形成しそれを金属板や硬質樹脂と張り合わせているが、金属板に直接形成し覆板として使用するものでも良く、また、エンボス加工に代えて、前後方向に細かな波状凹凸を形成し、左右方向において所定幅毎に波の位相を代えるようにしたものであっても良い。
【図面の簡単な説明】
【００７８】
【図１】本発明の実施例１及び実施例２における商品陳列棚の全体像を示す斜視図である。
【図２】図１のＢ−Ｂ線の断面図である。
【図３】（ａ）は図１のＡ−Ａ線の一部破断平面図を示す図であり、（ｂ）は（ａ）のＤ−Ｄ線の要部拡大断面図である。
【図４】実施例２における図１のＣ−Ｃ線の断面図である。
【図５】（ａ）〜（ｄ）は実施例２における各種覆板を示す斜視図である。
【符号の説明】
【００７９】
１                  商品陳列棚
２、２’            棚板
２ａ                棚板前端縁
２ｂ                棚板後端縁
２ｃ                棚板側端縁
２ｄ                棚板上面
２ｅ                棚板後部係止片
２ｆ                棚板側部係止片
３                  仕切パネル
４                  支柱
４ａ                係止穴
５                  載置棚
６                  支持脚
７                  支持板
７ａ                係合片
７ｂ                切欠部
８                  ストッパー取付部
８ａ                係止溝
９                  ストッパー
９ａ                係止片
１０                覆板
１０ａ              覆板前端縁
１０ｂ              覆板後端縁
１０ｃ              覆板側端縁
１０ｄ              覆板上面
１１                覆板後部係止片
１２                覆板側部係止片
１３                エンボス部
１３ａ              凸部
１３ｂ              頂部
１３ｃ              凹部
１４                塗幕
１５                商品
１５ａ              底面
１７                床面
２０                覆板
２０−１、２０−２  覆板
２０−３、２０−４  覆板
【図１】
2005204815.tif 000003
【図２】
2005204815.tif 000004
【図３】
2005204815.tif 000005
【図４】
2005204815.tif 000006
【図５】
2005204815.tif 000007